【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
サーバに情報を送信する端末の情報処理方法であって、
予約の条件に関する情報を前記サーバに前記端末の通信部によって送信することと、
前記予約の条件に関する情報に基づき取得された、前記端末のユーザとは異なるユーザによって予約された予約情報のうち、予約の一部分を譲渡可能な予約情報を少なくとも前記サーバから前記通信部によって受信することと、
前記予約の一部分を譲渡可能な予約情報を前記端末の表示部に表示することとを含む。
【請求項２】
請求項１に記載の情報処理方法であって、
前記予約の一部分を譲渡可能な予約情報の予約の一部分を譲渡してもらうためのインセンティブに関する情報を前記サーバから前記通信部によって受信することと、
前記インセンティブに関する情報を前記表示部に表示することとを含む。
【請求項３】
請求項２に記載の情報処理方法であって、
前記予約の一部分を譲渡可能な予約情報を予約した第１ユーザによって変更された、前記インセンティブに関する情報を前記通信部によって受信することと、
変更された前記インセンティブに関する情報を前記表示部に表示することとを含む。
【請求項４】
請求項２または請求項３に記載の情報処理方法であって、
前記インセンティブに関する条件を前記サーバに前記通信部によって送信することと、
前記インセンティブに関する条件に基づく、前記予約の一部分を譲渡可能な予約情報を前記サーバから前記通信部によって受信することとを含む。
【請求項５】
請求項１に記載の情報処理方法であって、
前記予約の一部分を譲渡可能な予約情報を予約した第１ユーザに対する第１コンテンツを前記通信部によって送信することを含む。
【請求項６】
請求項５に記載の情報処理方法であって、
前記第１コンテンツは、前記端末のユーザと前記第１ユーザとは異なる第２ユーザの第２端末に受信され、
前記第１ユーザの第１端末から、前記端末と前記第２端末とに対して送信された第２コンテンツを前記通信部によって受信することを含む。
【請求項７】
請求項５または６に記載の情報処理方法であって、
前記第１ユーザから送信された、コンテンツの送受信を拒否することに関する情報を受信することを含む。
【請求項８】
請求項６に記載の情報処理方法であって、
前記第１コンテンツは、メッセージ、画像、音声、動画のうち少なくとも１つを含み、
前記第２コンテンツは、メッセージ、画像、音声、動画のうち少なくとも１つを含む。
【請求項９】
請求項１から請求項８のいずれか一項に記載の情報処理方法であって、
前記端末のユーザに譲渡された予約情報のキャンセルの回数に基づく、予約情報の譲渡不可に関する情報を前記通信部によって前記サーバから受信することを含む。
【請求項１０】
請求項１に記載の情報処理方法であって、
前記予約の一部分を譲渡可能な予約情報として、前記端末のユーザとは異なる第１ユーザによって予約された第１予約情報を前記サーバから前記通信部によって受信することと、
前記予約の一部分を譲渡可能な予約情報として、前記端末のユーザと前記第１ユーザとは異なる第２ユーザによって予約された第２予約情報を前記サーバから前記通信部によって受信することと、
前記第１予約情報の予約の一部分と、前記第２予約情報の予約の一部分との譲渡の依頼に関する情報を前記サーバに前記通信部によって送信することとを含む。
【請求項１１】
請求項１から請求項１０のいずれか一項に記載の情報処理方法であって、
前記予約の一部分を譲渡可能な予約情報の予約の一部分の譲渡を、ボット機能に対するメッセージによって依頼することを含む。
【請求項１２】
サーバに情報を送信する端末のコンピュータに実行させるプログラムであって、
予約の条件に関する情報を前記サーバに前記端末の通信部によって送信することと、
前記予約の条件に関する情報に基づき取得された、前記端末のユーザとは異なるユーザによって予約された予約情報のうち、予約の一部分を譲渡可能な予約情報を少なくとも前記サーバから前記通信部によって受信することと、
前記予約の一部分を譲渡可能な予約情報を前記端末の表示部に表示することとを含む。
【請求項１３】
サーバに情報を送信する端末であって、
予約の条件に関する情報を前記サーバに送信し、前記予約の条件に関する情報に基づき取得された、前記端末のユーザとは異なるユーザによって予約された予約情報のうち、予約の一部分を譲渡可能な予約情報を少なくとも前記サーバから受信する通信部と、
前記予約の一部分を譲渡可能な予約情報を表示する表示部とを備える。
【手続補正２】
【補正対象書類名】明細書
【補正対象項目名】００１２
【補正方法】変更
【補正の内容】
【００１２】
本発明に係るサーバに情報を送信する端末の情報処理方法であって、予約の条件に関する情報をサーバに端末の通信部によって送信することと、予約の条件に関する情報に基づき取得された、端末のユーザとは異なるユーザによって予約された予約情報のうち、予約の一部分を譲渡可能な予約情報を少なくともサーバから通信部によって受信することと、予約の一部分を譲渡可能な予約情報を端末の表示部に表示することとを含む。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】変更
【補正の内容】
【００２２】
本発明に係る端末は、サーバに情報を送信する端末であって、予約の条件に関する情報をサーバに送信し、予約の条件に関する情報に基づき取得された、端末のユーザとは異なるユーザによって予約された予約情報のうち、予約の一部分を譲渡可能な予約情報を少なくともサーバから受信する通信部と、予約の一部分を譲渡可能な予約情報を表示する表示部とを備える。
【手続補正１３】
【補正対象書類名】明細書
【補正対象項目名】００２３
【補正方法】変更
【補正の内容】
【００２３】
本発明に係るプログラムは、サーバに情報を送信する端末のコンピュータに実行させるプログラムであって、予約の条件に関する情報をサーバに端末の通信部によって送信することと、予約の条件に関する情報に基づき取得された、端末のユーザとは異なるユーザによって予約された予約情報のうち、予約の一部分を譲渡可能な予約情報を少なくともサーバから通信部によって受信することと、予約の一部分を譲渡可能な予約情報を端末の表示部に表示することとを含む。